(57)【要約】  【課題】  排出を確認するための光センサの替わりにメカニカルスイッチを用いることで、光センサの数を減らすと共に、それに付随する電子部品の数を減らし、組み立てに要する手間及び時間を低減する。  【解決手段】  メインシャーシ１、トラバースユニット２、光ディスク搬送機構３、光ディスク検出機構４、光ヘッド５、駆動力伝達機構６、光ディスク駆動機構７を有し、光ディスクの挿入部の近傍に配置される一対の光センサ４１と、光ディスクにて押されるディスクアーム４２と、ディスクアーム４２の動作にあわせて摺動し、カムスライダ３１を動作させるプッシュロッド４３と、光ディスクが挿入されるときに光ディスクの大きさに合わせて、ディスクアーム４２とプッシュロッド４３とを係合させるディスクレバー４４と、光ディスクが挿入されていないときにディスクアームで押されるスイッチ４５とを有する。【選択図】      図２
2007018666.tif 000002
【特許請求の範囲】
【請求項１】
光ディスクにレーザ光を照射することで、データの記録、読出を行う光ディスク装置で
あって、
メインシャーシと、
前記メインシャーシに昇降可能に支持されるトラバースユニットと、
前記メインシャーシに取り付けられ前記光ディスクを送る送りローラと摺動可能に配置
され前記トラバースユニットと係合して該トラバースユニットを昇降させるカムスライダ
とを備える光ディスク搬送機構と、
前記トラバースユニットに摺動可能に取り付けられ、前記光ディスクにレーザ光を照射
する光ヘッドと、
駆動モータと該駆動モータの駆動力を伝達するための複数の歯車を備え、前記トラバー
スユニット、前記光ディスク駆動機構及び前記光ヘッドに駆動力を伝達する駆動力伝達機
構と、
前記光ディスクの挿入及び挿入された光ディスクの大きさを検知する光ディスク検出機
構とを有し、
前記光ディスク検出機構は、前記光ディスクの挿入口の近傍に配置され、前記光ディス
クが挿入されたことを検知する一対の光センサと、前記メインシャーシに回動可能に取り
付けられるとともに搬送される光ディスクに押されるディスクアームと、前記カムスライ
ダと連動するプッシュロッドと、前記メインシャーシに摺動可能且つ回動可能に取り付け
られ、前記ディスクアームと前記プッシュロッドとを連結するディスクレバーと、前記光
ディスクが挿入されていないときに前記ディスクアームと接触する位置に配置されるスイ
ッチとを備えており、
前記ディスクレバーは前記１２センチメートルの光ディスクが搬送中の所定の位置にあ
るときに外側に揺動し前記ディスクレバーと係合がはずれ、前記ディスクアームと前記プ
ッシュロッドとの連結を一時的に解消するものであり、
前記光ディスクの大きさにかかわらず、該光ディスクが排出されるときに前記ディスク
アームが前記スイッチを押したことを検出した後、前記駆動モータを所定時間駆動させた
後、停止することで送りローラにて光ディスクを所定長さだけ送り、排出を完了すること
を特徴とする光ディスク装置。
【請求項２】
光ディスクにレーザ光を照射することで、データの記録、読出を行う光ディスク装置で
あって、
メインシャーシと、
前記メインシャーシに昇降可能に支持されるトラバースユニットと、
前記メインシャーシに取り付けられ前記メインシャーシに摺動可能に配置され前記トラ
バースユニットと係合して該トラバースユニットを昇降させるカムスライダと、前記光デ
ィスクを送る送りローラとを有する光ディスク搬送機構と、
前記光ディスクにレーザ光を照射する光ヘッドと、
駆動モータと該駆動モータの駆動力を伝達するための複数の歯車を備え、前記トラバー
スユニット、前記光ディスク駆動機構及び前記光ヘッドに駆動力を伝達する駆動力伝達機
構と、
前記光ディスクの挿入及び挿入された光ディスクの大きさを検知する光ディスク検出機
構とを有し、
前記光ディスク検出機構は、前記メインシャーシに回動可能に取り付けられるとともに
搬送される光ディスクに押されるディスクアームと、前記カムスライダと連動するプッシ
ュロッドと、前記メインシャーシに摺動可能且つ回動可能に取り付けられ、前記ディスク
アームと前記プッシュロッドとを連結するディスクレバーと、前記光ディスクが挿入され
ていないときに前記ディスクアームと接触する位置に配置されるスイッチとを備えており
、
前記光ディスクが排出されるときに前記ディスクアームが前記スイッチを押したことを
検出した後、光ディスクの大きさにかかわらず送りローラにて所定長さだけ光ディスクを
送ることで排出を完了することを特徴とする光ディスク装置。
【請求項３】
前記光ディスクの送り長さは前記駆動モータを停止する時間を前記スイッチが押された
ときからの時間経過によって決定することを特徴とする請求項２に記載の光ディスク装置
。
【発明の詳細な説明】
【技術分野】
【０００１】
本発明は、光ディスクにレーザ光を照射し情報を記録したり、読み出したりする光ディ
スク装置に関するものであり、特に異なるサイズの光ディスクを挿入しても、正確に動作
することができる光ディスク装置に関するものである。
【背景技術】
【０００２】
従来、光ディスク装置の一種類として、該光ディスク装置の前面に光ディスクを挿入す
るための開口が設けられており、この開口を通じて前記光ディスクを挿入したり、排出し
たりできる、いわゆる、スロットインタイプの光ディスク装置が知られている。
【０００３】
スロットインタイプの光ディスク装置は、筐体の前面パネルに開口が設けられており、
開口に光ディスクを挿入する。光ディスクは開口より所定量挿入されると、筐体内部に配
置される光ディスク搬送機構にて引き込まれ、筐体内に配置されている光ディスク記録再
生ユニット内の光ディスクにデータを記録する又は光ディスクからデータを読み出す位置
（以下、クランプ位置という）に搬入される。
【０００４】
スロットインタイプの光ディスク装置では光ディスク挿入検知センサと、光ディスク排
出検知センサとを備えている。光ディスク挿入検知センサ及び光ディスク排出検知センサ
は光センサであり、発光素子及び受光素子が一定間隔をあけて対向して配置され、発光素
子より出射された光を受光素子で受光するものである。発光素子と受光素子の間に光ディ
スクがない場合、発光素子から出射された光が受光素子にて受光される（センサＯＦＦ）
。
【０００５】
また、発光素子と受光素子の間に光ディスクがある場合、発光素子から出射された光が
光ディスクにて遮られて、受光素子にて受光されない（センサＯＮ）。光ディスクを挿入
する場合、光ディスク挿入センサは光ディスクが挿入されるとＯＮになり、光ディスクを
搬送するための光ディスク搬送機構を駆動する。また、光ディスクを排出する場合、光デ
ィスク排出センサは常時ＯＮになっており、光ディスクが排出され端部が光ディスク排出
センサを通過すると光ディスク排出センサはＯＦＦになる。光ディスク排出センサがＯＦ
Ｆになると、前記光ディスク搬送機構を停止する。（実開平３−１３００４３号公報等参
照）
【特許文献１】実開平３−１３００４３号公報
【発明の開示】
【発明が解決しようとする課題】
【０００６】
しかしながら、光センサの個数が多くなると、センサ自体の取り付け個数が増えると共
に、そのセンサに電力を供給したり、信号を検出したりするための制御基板、電子部品も
必要であり、コストアップにつながる。また、部品点数が増えることで、部品を配置する
ための場所を確保しなくてはならず設計が制限される。さらに、部品点数が増えると共に
、組み立てに時間と手間がかかり、それだけ、組み立てに手間と時間がかかり、組み立て
のコストが高くなる。
【０００７】
そこで本発明は、排出を確認するための光センサの替わりにメカニカルスイッチを用い
ることで、光センサの数を減らすと共に、それに付随する電子部品の数を減らし、組み立
てに要する手間及び時間を低減することでコストを低減することを目的とする。
【０００８】
また本発明は、光ディスクの排出時に検出する情報を削減することで、光ディスクの排
出に必要な信号の数を減らすことができ、それだけ、駆動のコストを低減することができ
る光ディスク装置を提供することを目的とする。
【課題を解決するための手段】
【０００９】
上記目的を達成するために本発明は、光ディスクにレーザ光を照射することで、データ
の記録、読出を行う光ディスク装置であって、メインシャーシと、前記メインシャーシに
昇降可能に支持されるトラバースユニットと、前記メインシャーシに取り付けられ前記光
ディスクを送る送りローラと摺動可能に配置され前記トラバースユニットと係合して該ト
ラバースユニットを昇降させるカムスライダとを備える光ディスク搬送機構と、前記トラ
バースユニットに摺動可能に取り付けられ、前記光ディスクにレーザ光を照射する光ヘッ
ドと、駆動モータと該駆動モータの駆動力を伝達するための複数の歯車を備え、前記トラ
バースユニット、前記光ディスク駆動機構及び前記光ヘッドに駆動力を伝達する駆動力伝
達機構と、前記光ディスクの挿入及び挿入された光ディスクの大きさを検知する光ディス
ク検出機構とを有し、前記光ディスク検出機構は、前記光ディスクの挿入口の近傍に配置
され、前記光ディスクが挿入されたことを検知する一対の光センサと、前記メインシャー
シに回動可能に取り付けられるとともに搬送される光ディスクに押されるディスクアーム
と、前記カムスライダと連動するプッシュロッドと、前記メインシャーシに摺動可能且つ
回動可能に取り付けられ、前記ディスクアームと前記プッシュロッドとを連結するディス
クレバーと、前記光ディスクが挿入されていないときに前記ディスクアームと接触する位
置に配置されるスイッチとを備えており、前記ディスクレバーは前記１２センチメートル
の光ディスクが搬送中の所定の位置にあるときに外側に揺動し前記ディスクレバーと係合
がはずれ、前記ディスクアームと前記プッシュロッドとの連結を一時的に解消するもので
あり、前記光ディスクの大きさにかかわらず、該光ディスクが排出されるときに前記ディ
スクアームが前記スイッチを押したことを検出した後、前記駆動モータを所定時間駆動さ
せた後、停止することで送りローラにて光ディスクを所定長さだけ送り、排出を完了する
ことを特徴とする。
【００１０】
この構成によると、前記光ディスクに不具合があったり、光ディスクの挿入が適切でな
かったり等で、前記光ディスクの大きさ、種類等の初期情報を取得できなかった場合であ
っても、排出検知センサを用いることなく、前記光ディスクの大きさにかかわらず、光デ
ィスクを落とすことなく、使用者が取り出すことができる位置に排出することができる。
【００１１】
前記排出検知センサの替わりに前記ディスクアームの位置を検出するメカニカルスイッ
チをとりつけることで、高価な検知センサを省略することができるとともに、前記排出検
知センサに比べてメカニカルスイッチは回路を簡略化することができる。
【００１２】
これにより、高価な部品を減らすことができるとともに回路を簡略化することができる
ので、部品コスト及び製造コストを低減することができる。
【００１３】
上記目的を達成するために本発明は、光ディスクにレーザ光を照射することで、データ
の記録、読出を行う光ディスク装置であって、メインシャーシと、前記メインシャーシに
昇降可能に支持されるトラバースユニットと、前記メインシャーシに取り付けられ前記メ
インシャーシに摺動可能に配置され前記トラバースユニットと係合して該トラバースユニ
ットを昇降させるカムスライダと、前記光ディスクを送る送りローラとを有する光ディス
ク搬送機構と、前記光ディスクにレーザ光を照射する光ヘッドと、駆動モータと該駆動モ
ータの駆動力を伝達するための複数の歯車を備え、前記トラバースユニット、前記光ディ
スク駆動機構及び前記光ヘッドに駆動力を伝達する駆動力伝達機構と、前記光ディスクの
挿入及び挿入された光ディスクの大きさを検知する光ディスク検出機構とを有し、前記光
ディスク検出機構は、前記メインシャーシに回動可能に取り付けられるとともに搬送され
る光ディスクに押されるディスクアームと、前記カムスライダと連動するプッシュロッド
と、前記メインシャーシに摺動可能且つ回動可能に取り付けられ、前記ディスクアームと
前記プッシュロッドとを連結するディスクレバーと、前記光ディスクが挿入されていない
ときに前記ディスクアームと接触する位置に配置されるスイッチとを備えており、前記光
ディスクが排出されるときに前記ディスクアームが前記スイッチを押したことを検出した
後、光ディスクの大きさにかかわらず送りローラにて所定長さだけ光ディスクを送ること
で排出を完了することを特徴とする。
【００１４】
この構成によると、前記光ディスクに不具合があったり、光ディスクの挿入が適切でな
かったり等で、前記光ディスクの大きさ、種類等の初期情報を取得できなかった場合であ
っても、排出検知センサを用いることなく、前記光ディスクの大きさにかかわらず、光デ
ィスクを落とすことなく、使用者が取り出すことができる位置に排出することができる。
【００１５】
前記排出検知センサの替わりに前記ディスクアームの位置を検出するメカニカルスイッ
チをとりつけることで、高価な検知センサを省略することができるとともに、前記排出検
知センサに比べてメカニカルスイッチは回路を簡略化することができる。
【００１６】
これにより、高価な部品を減らすことができるとともに回路を簡略化することができる
ので、部品コスト及び製造コストを低減することができる。
【００１７】
上記構成において、前記光ディスクの送り長さは前記駆動モータを停止する時間を前記
スイッチが押されたときからの時間経過にて決定してもよい。また時間制御に限定される
ものではなく、前記ディスク搬送機構、前記駆動モータ、前記駆動力伝達機構に回転角度
検出手段を備え、該回転角度検出手段による角度を基にするもの等、送りローラによる光
ディスクの排出長さを一定にすることができるものを広く採用することができる。
【発明の効果】
【００１８】
本発明によると、排出を確認するための光センサの替わりにメカニカルスイッチを用い
ることで、光センサの数を減らすと共に、それに付随する電子部品の数を減らし、組み立
てに要する手間及び時間を低減することができる。
【００１９】
また本発明によると、光ディスクの排出時に検出する情報を削減することで、光ディス
ク排出の制御を簡略化することができる光ディスク装置を提供することができる。
【発明を実施するための最良の形態】
【００２０】
以下に本発明の実施形態を図面を参照して説明する。図１にスロットインタイプの光デ
ィスク装置の斜視図を示す。図１に示す光ディスク装置は、筐体Ｂｄと、筐体Ｂｄの前面
に取り付け固定される前面パネルＦｐと、筐体Ｂｄ内部に取り付けられる光ディスク記録
再生ユニットＡとを有している。前面パネルＦｐには開口Ｏｐが設けられており、開口Ｏ
ｐに光ディスクＤｓを挿入する。
【００２１】
図２に本発明にかかるスロットインタイプの光ディスク装置に備えられる光ディスク記
録再生ユニットの概略配置図を、図３に図２に示す光ディスク記録再生ユニットの正面側
から見た概略配置図を示す。図２に示す光ディスク記録再生ユニットＡは、メインシャー
シ１、トラバースユニット２、光ディスク搬送機構３、光ディスク検出機構４、光ヘッド
５、駆動力伝達機構６、光ディスク駆動機構７を有している。
【００２２】
なお、以下で方向を示すとき、フロントパネルＦｐが設けられている方向をフロント側
（図中Ｆ）、これに対向する方向をリヤ側（図中Ｒ）、フロント側とリヤ側とをつなぐ線
に交差し光ディスクのディスク面に平行な方向をサイド側（図中Ｓ）と表現（図示）する
。
【００２３】
メインシャーシ１は光ディスク搬送機構３と、駆動力伝達機構４に含まれる駆動ギヤ６
４と、光ディスク検出機構７とを備えている。光ディスク搬送機構３は、メインシャーシ
１に摺動可能に取り付けられるカムスライダ３１と、光ディスクを送る送りローラ３２と
、駆動ギヤ６４と歯合する中間歯車３３とを備えている。
【００２４】
トラバースユニット２はトラバースシャーシ２１、光ヘッド５、駆動力伝達機構６の一
部、レバートリガー２２、接触式スイッチ２３、光ディスク駆動機構４とを具備している
。
【００２５】
カムスライダ３１はサイド方向に摺動するものであり、トラバースユニット２のトラバ
ースシャーシ２１のフロント側の側面に備えられる後述のスライダボス２１１と係合する
カム孔３１１と、レバートリガー２２に備えられる後述のトリガーボス２２１と係合する
係合孔３１２と、プッシュロッド４３に備えられる後述のプッシュボス４３１と係合する
プッシュ溝３１３と、駆動ギヤ６４と歯合するスライダラック３１４とを備えている。
【００２６】
カム孔３１１はサイド方向に延びて形成されており、上側カム孔３１１１、下側カム孔
３１１２及び上側カム孔３１１１と下側カム孔３１１２とを連結する斜行カム孔３１１３
とを備えている。カムスライダ３１がサイド方向に摺動することでトラバースシャーシ２
１のスライダボス２１１はカム孔３１１に沿って摺動する。スライダボス２１１が下側カ
ム孔３１１１に位置するときはトラバースシャーシ２１のフロント側が持ち上げられたク
ランプ位置に配置され、逆に上側カム孔３１１２に位置するときにはトラバースシャーシ
２１のフロント側が下げられた退避位置に配置される。
【００２７】
スライダラック３１４はカムスライダ３１の端部に形成されたラックであり、駆動ギヤ
６４と歯合するものであるが、カムスライダ３１が最も移動したとき、スライダラック３
１４は駆動ギヤ６４と歯合しないように形成されている。
【００２８】
送りローラ３２は、回転軸３２１と、回転軸３２１の回りに配置され、光ディスクと密
着して回転することで光ディスクを送るためのローラ３２２と、回転軸３２１の端部に固
定されるローラ歯車３２３とを有している。中間歯車３３は駆動ギヤ６４と係合する第１
中間歯車３３１と、メインシャーシ１のサイド側の側面内側に回動可能に軸視される第２
中間歯車３３２とを有している。第２中間歯車３３２は送りローラ３２のローラ歯車３２
３と歯合している。
【００２９】
第１中間歯車３３１は同一中心軸上に配置される第１かさ歯車３３３を備えている。第
２中間歯車３３２にも同様に同一中心軸に配置される第２かさ歯車３３４が備えられてお
り、第１かさ歯車３３３と第２かさ歯車３３４が歯合している。つまり、駆動ギヤ６４の
回転を、メインシャーシ１のサイド側の側面に取り付けられた歯車の回転に変換すること
ができる。
【００３０】
光ディスク検出機構４は、光ディスクの挿入部の近傍に配置される一対の光センサ４１
と、光ディスクにて押されるディスクアーム４２と、ディスクアーム４２の動作にあわせ
て摺動し、カムスライダ３１を動作させるプッシュロッド４３と、光ディスクが挿入され
るときに光ディスクの大きさに合わせて、ディスクアーム４２とプッシュロッド４３とを
係合させるディスクレバー４４とを備えている。ディスクアーム４２、プッシュロッド４
３及びディスクレバー４４とは互いに連動することで、直径１２センチメートルの光ディ
スクと、直径８センチメートルの光ディスクが挿入されたときに、光ディスクの直径にあ
わせて光ディスク記録再生ユニットを適切に動作させるためのものである。
【００３１】
光センサ４１は挿入口の近くに光ディスクの挿入方向の中心線に対して対称に配置され
るものである。対称に配置されることで、光ディスクがずれて挿入されても、光ディスク
の挿入を検出することができる。
【００３２】
光センサ４１は発光素子と受光素子とが一定の間隔をあけて、向かい合わせに配置され
るものであり、発光素子より出射される光を受光素子で受光するものである。すなわち、
発光素子と受光素子の間を遮るものがないときは発光素子より出射された光が受光素子で
受光され、遮るものがあるときは発光素子より出射された光は受光素子で受光されない。
つまり光ディスクが挿入されると、発光素子と受光素子の間が光ディスクにて遮られ、光
ディスクの挿入を検知する。
【００３３】
ディスクアーム４２はピン４２０にてメインシャーシ１に回動可能に取り付けられてい
る。ディスクアーム４２は光ディスクが挿入されたときに光ディスクのリヤ側が当接し、
挿入方向に往復移動するディスク押し部４２３と、ディスクレバー４４の後述する係合部
４４１と係合する第１ボス４２１及び第２ボス４２２と、ディスク押し部４２３をフロン
ト側に押すようにディスクアームを付勢する弾性部材４２４とを有している。第１ボス４
２１及び第２ボス４２２とディスク押し部４２３とはピン４２０を挟んで対向する位置に
配置されている。すなわち、第１ボス４２１及び第２ボス４２２とディスク押し部４２３
とは常にピンを挟んで反対方向に移動する。
【００３４】
メインシャーシ１のディスクアーム４２に隣接する位置に、スイッチ４５（ここでは、
プッシュ式スイッチ）が取り付けられている。ディスクアーム４２が最もフロント側に位
置しているとき、換言すると、光ディスクが挿入されていないとき、にディスクアーム４
２にて押されてスイッチ４５はＯＮになるように配置されている。
【００３５】
ディスクレバー４４はディスクアーム４２の第１ボス４２１及び第２ボス４２２と係合
する係合部４４１と、光ディスクの外周に押されるディスク検知ボス４４２と、プッシュ
ロッド４３の後述するスイングガイド４３２と係合するレバーボス４４３と、メインシャ
ーシ１に取り付けられている摺動ピン４４０が貫通する摺動孔４４４とを備えている。ま
た、ディスクレバー４４はメインシャーシ１に取り付けられた弾性部材（ここではコイル
ばね４４５）にてプッシュロッド４３と重なる位置に移動するように付勢されている。デ
ィスクレバー４４は直径１２センチメートルの光ディスクが所定の位置にあるときにはサ
イド方向にスィングする。直径８センチメートルの光ディスクが挿入されたときにはスィ
ングしない。
【００３６】
プッシュロッド４３はフロント側−リヤ側に往復摺動可能に取り付けられており、フロ
ント側の端部に設けられカムスライダ３１に形成されるプッシュ溝３１３と係合するプッ
シュボス４３１と、ディスクレバー４４のレバーボス４４３が円弧状に摺動するスイング
ガイド４３２とを有している。プッシュロッド４３はプッシュボス４３１がプッシュ溝３
１３を押すことでカムスライダ３１を摺動させるものである。
【００３７】
トラバースシャーシ２１はサイド側の両側面のリヤ側に近い部分に、回転ボス２１０が
形成されている。サイド側の両側面に設けられた回転ボス２１０は、同一中心軸上に形成
されており、回動ボス２１０がメインシャーシ１と係合することで、トラバースシャーシ
２１はメインシャーシ１に対し、回動可能に取り付けられる。また、トラバースシャーシ
２１のフロント側の側面にはカムスライダ３１のカム孔３１１と係合するスライダボス２
１１が形成されている。さらに、光ヘッド５が摺動するときのガイドとなるシャフト２１
３及びガイドリブ２１４を備えている。
【００３８】
トラバースシャーシ２１は回転ボス２１０を軸として回動することで、光ディスクが挿
入されるときに邪魔にならないように光ディスクの記録面側に隠れた待機位置と、光ディ
スクを他の部材と干渉しないように挟着（クランプ）するクランプ位置とを往復動する。
待機位置とクランプ位置の切替のタイミングは後述するように、直径８センチメートルの
光ディスクと、直径１２センチメートルの光ディスクとでは異なる。
【００３９】
レバートリガー２２はカムスライダ３１と同様にサイド方向に摺動する。トリガーボス
２２１と、光ヘッド５の後述するサブラック５３２に形成されているラックボス５３３と
係合するトリガーガイド２２２が形成されている。サブラック５３２が摺動することで、
ラックボス５３３がトリガーガイド２２２を押してレバートリガー２２を摺動させる。ト
リガーガイド２２２はサイド方向に延びる部分を備えている。
【００４０】
光ヘッド５は光ディスクにレーザ光を照射し情報を記録する又は読み出すものである。
光ヘッド５はレーザ光を出射するレーザ光源、レーザ光を集光し光ディスクの記録面にレ
ーザスポットを形成する対物レンズ、光ディスクの記録面で反射されたレーザ光を受光す
る受光素子（いずれも不図示）等の光学部品が載置されるスライドベース５１を備えてい
る。トラバースシャーシ２１にシャフト２１３が備えられており、スライドベース５１は
シャフト２１３に往復動可能に取り付けられている。
【００４１】
スライドベース５１のシャフト３１２３との係合部と反対側には、トラバースシャーシ
２１に形成されているガイドリブ２１４に係合し、光ヘッド５の光ディスクに対するサイ
ド方向の傾きを調整するための傾き調整部材５２が取り付けられている。傾き調整部材５
２はガイドリブ２１４に係合するとともに、ガイドリブ２１４にそって摺動することがで
き、光ヘッド５がその傾きを保った状態で摺動するように光ヘッド５を支持する。
【００４２】
スライドベース５１には駆動力伝達機構６（後述のピニオンギヤ６１３）と歯合し、駆
動モータ６０よりの駆動力を伝達するラック５３が設けられている。このラック５３は下
部に光ヘッド５を移動させるため駆動力が伝達されるメインラック（図示省略）が配設さ
れ、メインラックの上部にバックラッシュを取り除くためのサブラック５３２が配設され
ている。図示を省略したばねを用いてサブラック５３２を付勢し、メインラックのギヤ歯
とサブラック５３２のギヤ歯で、ピニオンギヤ６１３のギヤ歯を挟んでバックラッシュが
発生しないようにしている。
【００４３】
つまり、光ヘッド５のラック５３は、メインラック及びサブラック５３２が重なり合っ
たダブルラックとなっている。ラック５３においてサブラック５３２のギヤ歯はメインラ
ックのギヤ歯よりも長く、リヤ側に延びるように配置される。すなわち、ピニオンギヤ６
１３とメインラック及びサブラック５３２の両方が歯合している状態、ピニオンギヤ６１
３とサブラック５３２のみが歯合している状態とになるように構成されている。
【００４４】
また、サブラック５３２にはラックボス５３３が形成されており、光ヘッド５が最もフ
ロント側にきたときに、レバートリガー２２に形成されているトリガーガイド２２２と係
合し、レバートリガー２２を動作させる。
【００４５】
なお、メインラックのフロント側の先端には、トラバーシャーシ２１に取り付けられた
接触式スイッチ２３を押し付ける（ＯＮにする）ための突起部（図示省略）が形成されて
いる。すなわち、光ヘッド５が光ディスクの最内周に移動すると、突起部が接触式スイッ
チ２３と接触して、接触式スイッチ２３がＯＮになる。
【００４６】
駆動力伝達機構６は駆動モータ６０と、第１歯車６１と、第２歯車６２と、伝達ギヤ６
３と、駆動ギヤ６４とを具備している。このうち駆動ギヤ６４はメインシャーシ１に取り
付けられており、残りの駆動モータ６０及び歯車群はトラバースシャーシ２１に取り付け
られている。
【００４７】
駆動モータ６０の駆動軸にはウォームギヤが備えられており、第１歯車６１と歯合して
いる。第１歯車６１は第１大型歯車６１１と、第１小型歯車６１２と、ピニオンギヤ６１
３とが同一回転軸に軸方向に並んで、回動可能に支持されている。第１大型歯車６１１は
駆動モータ６０のウォームギヤと歯合しており、駆動モータ６０の駆動軸に発生する駆動
力は第１大型歯車６１１に伝達される。ピニオンギヤ６１３は光ヘッド５のラック５３と
歯合しており、光ヘッド５を駆動する。第１小型歯車６１２は第２歯車６２と歯合してい
る。第２歯車６２は伝達ギヤ６３と歯合している。伝達ギヤ６３は駆動ギヤ６４と歯合し
ている。
【００４８】
以上のように各歯車を配置することで、駆動モータ６０の駆動軸に発生する駆動力を駆
動ギヤ６４、光ヘッド５のラック５３に伝達することができる。駆動ギヤ６４は一部にギ
ヤ歯が形成されていない間欠部が形成されており、駆動ギヤ６４の回転角度及び伝達ギヤ
６３の高さ（トラバースシャーシ２１の高さ）によって、歯合する場合と歯合しない場合
とを生じさせるように設計されている。
【００４９】
光ディスク駆動機構７は、光ディスクを回転させるためのスピンドルモータ（不図示）
と、スピンドルモータの出力軸に取り付けられ、光ディスクを支持するターンテーブル７
１とを有している。ターンテーブル７１はトラバースシャーシ２１の移動とともに移動し
、光ディスクの中央部に設けられる貫通部を貫通するとともに透明部を押し、図示を省略
したクランプと光ディスクを挟着し、光ディスクを安定して回転させる。
【００５０】
次に各部の動作について説明する。光ディスクが開口Ｏｐより挿入されると、光センサ
４１によって光ディスクが挿入されたことが検知される。光センサ４１にて光ディスクの
挿入を検知すると、駆動モータ６０が駆動する。駆動モータ６０の駆動軸に取り付けられ
たウォームが第１大型歯車６１１を回転させ、第１小型歯車６１２、第２歯車６２を介し
て伝達ギヤ６３が回転する。
【００５１】
光ディスクが挿入されるときは伝達ギヤ６３と駆動ギヤ６４は歯合しているので、駆動
ギヤ６４は回転する。駆動ギヤ６４の回転が第１中間歯車３３１及び第２中間歯車３３２
を介して伝達しローラ歯車３２３を回動させ、送りローラ３２を回転させる。送りローラ
３２のローラ３２２が光ディスクと接触することで、光ディスクを光ディスク記録再生ユ
ニットＡの内部に引き込む。
＜直径８センチメートルの光ディスク（図４参照）＞
挿入された光ディスクが直径８センチメートルのディスクの場合、光ディスクＤｓ８が
挿入されるときに光ディスクＤｓ８の外周部がディスクレバー４４のディスク検知ボス４
４２と当接せず、そのまま、引き込まれる。光ディスクＤｓ８が所定量引き込まれると、
ディスクアーム４２のディスク押し部４２３と当接し、そのままディスク押し部４２をリ
ヤ側へと押す。このとき、ディスクアーム４２がピン４２０にて摺動可能に支持されてい
ると共に、第１ボス４２１とディスクレバー４４の係合部４４１とが係合しているので、
ディスクレバー４４はフロント側に押される。
【００５２】
ディスクレバー４４はレバーボス４４３でプッシュロッド４３のスイングガイド４３２
と係合しており、ディスクレバー４４がフロント側に移動すると、レバーボス４４３がス
イングガイド４３２を押してプッシュロッド４３がフロント側に移動する。プッシュロッ
ド４３のフロント側端部に備えられるプッシュボス３３１が、カムスライダ３１のプッシ
ュ溝３１３と係合しており、プッシュロッド４３のフロント側への移動によってカムスラ
イダ３１を駆動する。
【００５３】
カムスライダ３１はプッシュロッド４３の移動によってサイド方向に移動する。これに
よって、カムスライダ３１に備えられているスライダラック３１４が駆動ギヤ６４と歯合
し、駆動ギヤ６４の駆動力がカムスライダ３１に伝達される。このとき、プッシュロッド
４３のプッシュボス４３１はプッシュ溝３１３のサイド方向に延びる部分と係合しプッシ
ュロッド４３がリヤ側に移動しないようにロックする。
【００５４】
また、カムスライダ３１がサイド方向に移動するときに、トラバースシャーシ２１のス
ライダボス２１１がカム孔３１１の下側カム孔３１１１から斜行カム孔３１１３を経て上
側カム孔３１１２へと摺動し、トラバースシャーシ２１がクランプ位置にせりあがる。ま
た、カムスライダ３１の係合孔３１２と係合するトリガーボス２２１が押されてレバート
リガー２２も摺動する。レバートリガー２２が摺動することで、光ヘッド５のサブラック
５３２に形成されているラックボス５３３がトリガーガイド２２２から離れ、光ヘッド５
がリヤ方向に移動すると共に、第１歯車６１のピニオンギヤ６１３とラック５３とが歯合
する。
【００５５】
トラバースシャーシ２１がクランプ位置に移動すると光ディスク駆動機構７のターンテ
ーブル７１は光ディスクＤｓ８を押し、図示を省略したクランパと光ディスクＤｓ８を挟
着する。さらに、このとき、伝達ギヤ６３が移動し、駆動ギヤ６４の間欠部が形成されて
いる部分に配置される。このことにより、伝達ギヤ６３の駆動力が駆動ギヤ６４に伝達さ
れなくなり、第１中間歯車３３１、第２中間歯車３３２及び送りローラ３２が停止する。
【００５６】
光ヘッド５のラック５３とピニオンギヤ６１３とが歯合することで、駆動モータ６０の
駆動力が光ヘッド５に伝達され、光ヘッド５を光ディスクＤｓ８の径方向に摺動させる。
光ディスクＤｓ８の再生又は記録に必要な初期動作を行う。
【００５７】
光ディスクを排出するときはこれと逆の動作で、光ヘッド５を最もフロント側に移動さ
せ、接触式スイッチ２３と突起部が接触し光ディスクＤｓ８が光ディスクＤｓ８を排出す
るための退避位置に移動したことを検出する。このとき、ラック５３のメインラックはピ
ニオンギヤ６１３との歯合が外れるが、サブラック５３２はピニオンギヤ６１３と歯合し
ており、さらにフロント側に送られる。サブラック５３２に形成されているラックボス５
３３がレバートリガー２２のトリガーガイド２２２と係合し、レバートリガー２２を移動
させる。
【００５８】
レバートリガー２２のトリガーボス２２１がカムスライダ３１の係合孔３１２を押し、
カムスライダ３１が挿入のときと反対方向にわずかに移動する。カムスライダ３１の移動
とともに、カムスライダ３１のスライダラック３１４と駆動ギヤ６４が歯合するとともに
回動する。駆動ギヤ６４がわずかに回動すると、駆動ギヤ６３と伝達ギヤ６３とが歯合し
、伝達ギヤ６３の駆動力が駆動ギヤ６４に伝達される。
【００５９】
駆動ギヤ６４から第１中間歯車３３１及び第２中間歯車３３２に駆動力が伝達され、送
りローラ３２が回動しはじめる。このとき光ディスクＤｓ８はターンテーブル７１に支持
されてクランプ位置にあるので、送りローラ３２のローラ３２２とは接触していない。カ
ムスライダ３１のスライダラック３１４は駆動ギヤ６４と歯合しており、駆動ギヤ６４の
駆動力がスライダラック３１４に伝達され、カムスライダ３１は光ディスクＤｓ８を挿入
したときと逆方向に移動する。
【００６０】
カムスライダ３１が移動すると、トラバースシャーシ２１のスライダボス２１１がカム
孔３１１に沿って移動し、トラバースシャーシ２１がクランプ位置から待機位置に戻る。
このとき、カムスライダ３１のプッシュ溝３１３とプッシュロッド４３のプッシュボス４
３１との係合がはずれ、プッシュロッド４３はリヤ側に戻る。また、カムスライダ３１の
移動とともにレバートリガー２２も摺動するので、光ヘッド５のサブラック５３２のラッ
クボス５３３がトリガーガイド２２２のサイド方向に延びる部分に保持されてリヤ側に移
動しないようにロックされる。
【００６１】
さらに、トラバースシャーシ２１が待機位置に移動したことで、伝達ギヤ６３が駆動ギ
ヤ６４とが間欠部のない位置で歯合するようになる。トラバースシャーシ２１が待機位置
に移動すると、光ディスクＤｓ８が送りローラ３２のローラ３２２と接触し光ディスクＤ
ｓ８が送りローラ３２にて排出される。すると、ディスクアーム４２に備えられたディス
ク押し部４２３が光ディスクＤｓ８の移動に伴ってフロント側に移動する。
【００６２】
光ディスクＤｓ８が一定量排出されると、ディスクアーム４２のディスク押し部４２３
が光ディスクＤｓ８から離れる。このとき、ディスクアーム４２はスイッチ４５と接触し
スイッチ４５をＯＮにする。スイッチ４５がＯＮになったのを確認し、光ディスクＤｓ８
を所定の長さ排出して駆動モータ６０を停止する。
＜直径１２センチメートルの光ディスク（図５参照）＞
挿入された光ディスクが直径１２センチメートルのディスクの場合、光ディスクＤｓ１
２が挿入されるときに光ディスクＤｓ１２の外周部がディスクレバー４４のディスク検知
ボス４４２と接触する。ディスク検知ボス４４２が光ディスクＤｓ１２の側周部に押され
、ディスクレバー４４は摺動ピン４４０を中心に回動する。このとき、レバーボス４４３
はプッシュロッド４３のスイングガイド４３２に沿って摺動し、係合部４４１とディスク
アーム４２の第１ボス４２１との係合が外れる。
【００６３】
この状態で、光ディスクＤｓ１２が所定量引き込まれると、光ディスクＤｓ１２のリヤ
側周側部がディスクアーム４２のディスク押し部４２３と当接し、そのままディスク押し
部４２３をリヤ側へと押す。このとき、ディスクアーム４２の第１ボス４２１とディスク
レバー４４の係合部４４１との係合が外れているので、ディスクアーム４２はピン４２０
回りに回動するが、ディスクレバー４４はフロント側に摺動せず、プッシュロッド４３を
フロント側に押さない。
【００６４】
光ディスクＤｓ１２がさらに引き込まれると、ディスクアーム４２がピン４２０を中心
に回動する。このとき、ディスクレバー４４はコイルばね４４５にてもとの位置に戻るよ
うに付勢されており、光ディスクＤｓ１２が引き込まれるとともに、光ディスクＤｓ１２
の側周部をディスク検知ボス４４２が回り込むように摺動し、もとの位置に戻る。このと
き、ディスクアーム４２の第２ボス４２２とディスクレバー４４の係合部４４１が係合す
る。ディスクアーム４２の第２ボス４２２とディスクレバー４４の係合部４４１が係合す
ることで、ディスクアーム４２の回動によってディスクレバー４４はフロント側に押され
る。
【００６５】
ディスクレバー４４はレバーボス４４３でプッシュロッド４３のスイングガイド４３２
と係合しており、ディスクレバー４４がフロント側に移動すると、レバーボス４４３がス
イングガイド４３２を押してプッシュロッド４３がフロント側に移動する。プッシュロッ
ド４３のフロント側端部に備えられるプッシュボス４３１が、カムスライダ３１のプッシ
ュ溝３１３と係合しており、プッシュロッド４３のフロント側への移動によってカムスラ
イダ３１を駆動する。
【００６６】
カムスライダ３１はプッシュロッド４３の移動によってサイド方向に移動する。これに
よって、カムスライダ３１に備えられているスライダラック３１４が駆動ギヤ６４と歯合
し、駆動ギヤ６４の駆動力がカムスライダ３１に伝達される。このとき、プッシュロッド
４３のプッシュボス４３１はプッシュ溝３１３のサイド方向に延びる部分と係合しプッシ
ュロッド４３がリヤ側に移動しないようにロックする。
【００６７】
また、カムスライダ３１がサイド方向に移動するときに、トラバースシャーシ２１のス
ライダボス２１１がカム孔３１１と摺動し、トラバースシャーシ２１がクランプ位置に競
りあがる。また、カムスライダ３１の係合孔３１２と係合するトリガーボス２２１が押さ
れてレバートリガー＾２２も摺動する。レバートリガー＾２２が摺動することで、光ヘッ
ド５のサブラック５３２に形成されているラックボス５３３がトリガーガイド２２２から
離れ、光ヘッド５がリヤ方向に移動すると共に、第１歯車６１のピニオンギヤ６１３とラ
ック５３とが歯合する。
【００６８】
トラバースシャーシ２１がクランプ位置に移動すると光ディスク駆動機構７のターンテ
ーブル７１は光ディスクＤｓ１２を押し、図示を省略したクランパと光ディスクＤｓ１２
を挟着する。さらに、このとき、伝達ギヤ６３が移動し、駆動ギヤ６４の間欠部が形成さ
れている部分に配置される。このことにより、伝達ギヤ６３の駆動力が駆動ギヤ６４に伝
達されなくなり、第１中間歯車３３１、第２中間歯車３３２及び送りローラ３２が停止す
る。
【００６９】
光ヘッド５のラック５３とピニオンギヤ６１３とが歯合することで、駆動モータ６０の
駆動力が光ヘッド５に伝達され、光ヘッド５を光ディスクＤｓ１２の径方向に摺動させる
。光ディスクＤｓ１２の再生又は記録に必要な初期動作を行う。
【００７０】
光ディスクを排出するときはこれと逆の動作で、光ヘッド５を最もフロント側に移動さ
せ、接触式スイッチ２３と突起部が接触し光ヘッド５が光ディスクＤｓ１２を排出するた
めの退避位置に移動したことを検出する。このとき、ラック５３のメインラックはピニオ
ンギヤ６１３との歯合が外れるが、サブラック５３２はピニオンギヤ６１３と歯合してお
り、さらにフロント側に送られる。サブラック５３２に形成されているラックボス５３３
がレバートリガー２２のトリガーガイド２２２と係合し、レバートリガー２２を移動させ
る。
【００７１】
レバートリガー２２のトリガーボス２２１が係合孔３１２を押し、カムスライダ３１が
挿入のときと反対方向にわずかに移動する。カムスライダ３１の移動とともに、カムスラ
イダ３１のスライダラック３１４と歯合している駆動ギヤ６４が回動する。駆動ギヤ６４
がわずかに回動すると、駆動ギヤ６４と伝達ギヤ６３が歯合し、伝達ギヤ６３の駆動力が
駆動ギヤ６４に伝達される。
【００７２】
駆動ギヤ６４から第１中間歯車３３１及び第２中間歯車３３２に駆動力が伝達されるの
で、送りローラ３２が回動しはじめる。このとき光ディスクＤｓ１２はターンテーブル７
１に支持されてクランプ位置にあるので、送りローラ３２のローラ３２２とは接触してい
ない。カムスライダ３１のスライダラック３１４は駆動ギヤ６４と歯合しており、駆動ギ
ヤ６４の駆動力がスライダラック３１４に伝達され、カムスライダ３１は光ディスクＤｓ
１２を挿入したときと逆方向に移動する。
【００７３】
カムスライダ３１が移動すると、トラバースシャーシ２１のスライダボス２１１がカム
孔３１１に沿って移動し、トラバースシャーシ２１がクランプ位置から待機位置に戻る。
このとき、カムスライダ３１のプッシュ溝３１３とプッシュロッド４３のプッシュボス４
３１との係合がはずれ、プッシュロッド４３はリヤ側に戻る。また、カムスライダ３１の
移動とともにレバートリガー２２も摺動するので、光ヘッド５のサブラック５３２のラッ
クボス５３３がトリガーガイド２２２のサイド方向に延びる部分に保持されてリヤ側に移
動しないようにロックされる。
【００７４】
さらに、トラバースシャーシ２１が待機位置に移動したことで、伝達ギヤ６４が駆動ギ
ヤ６４と、間欠部のない位置で歯合するようになる。トラバースシャーシ２１が待機位置
に移動すると、光ディスク５が送りローラ３２のローラ３２２と接触し光ディスクＤｓ１
２が送りローラ３２にて排出される。このとき、ディスクアーム４２に備えられたディス
ク押し部４２３が光ディスクＤｓ１２の移動に伴ってフロント側に移動し、ディスクアー
ム４２もピン４２０を中心に回動する。
【００７５】
光ディスクＤｓ１２が排出されるときに、ディスクレバー４４のディスク検知ボス４４
２は光ディスクＤｓ１２の側周部に押されて外側にスイングする。これにより、ディスク
レバー４４の係合部４４１がディスクアーム４２の第２ボス４２２から離れる。光ディス
クＤｓ１２がさらに排出されると、ディスクレバー４４のディスク検知ボス４４２が光デ
ィスクＤｓ１２の周側部に沿って移動する。ディスクレバー４４は摺動ピン４４０回りに
回動しもとの位置に戻る。このとき、ディスクアーム４２の第１ボス４２１とディスクレ
バー４４の係合部４４１とが係合し、ディスクアーム４２の回動によってディスクアーム
４２はリヤ側に引っ張られる。ディスクレバー４４のレバーボス４４３とプッシュロッド
４３のスイングガイド４３２で係合しているプッシュロッド４３も連動して、リヤ側に引
っ張られる。
【００７６】
さらに光ディスクＤｓ１２が排出されると、ディスクアーム４２のディスク押し部４２
３が光ディスクＤｓ１２から離れる。このとき、ディスクアーム４２はスイッチ４５と接
触しスイッチ４５をＯＮにする。スイッチ４５がＯＮになったのを確認し、光ディスクＤ
ｓ１２を所定の長さ排出して駆動モータ６０を停止する。
【００７７】
図６に光ディスクが排出されるときのタイミングチャートを示す。光ディスクが一定量
排出されると、ディスクアーム４２のディスク押し部４２３が光ディスクから離れる。こ
のとき、ディスクアーム４２はスイッチ４５と接触しスイッチ４５をＯＮにする（Ｐ１）
。図６に示すようにスイッチ４５がＯＮになったのを確認し、それから光ディスクを所定
の長さ（ここでは５３ｍｍ）排出して駆動モータ６０を停止する（Ｐ２）。
【００７８】
スイッチ４５がＯＮになってからの所定の長さは直径８センチメートルの光ディスクＤ
ｓ８を排出するときと直径１２センチメートルの光ディスクＤｓ１２を排出するときとで
同じ長さになるように制御している。すなわち、直径８センチメートルの光ディスクＤｓ
８を排出するときは、光ディスクＤｓ８が挿入／排出する開口Ｏｐから脱落しない長さで
ある。また、直径１２センチメートルの光ディスクＤｓ１２を排出するときは、光ディス
クＤｓ１２の中心部に形成されるセンターホールの一部が開口Ｏｐから露出する長さであ
る。
【００７９】
スイッチ４５がＯＮになってから光ディスクが排出されるまでの駆動モータ６０の可動
量はここでは時間制御される。光ディスクの移動量は送りローラ３２のローラ３２２の回
転量（回転角度）によって決定されるものであり、光ディスク搬送機構４を構成する各歯
車の歯数は変化しないのでギヤ比は一定でなので、駆動モータ６０の駆動量（回転角度）
によって送りローラ３２の回転量（回転角度）が決定する。それゆえ、駆動モータ６０を
駆動力、回転数を一定になるように制御している場合、駆動時間を調整することで、光デ
ィスクの排出量を一定にできる。すなわち、スイッチ４５がＯＮになった時点から一定時
間ｔが経過した後に駆動モータ６０を停止する。
【００８０】
また、駆動モータ６０の駆動軸にロータリーエンコーダ等の回転数（回転角度）を検出
する装置を備えておき、ロータリーエンコーダからの駆動軸の回転数（回転角度）をもと
に、光ディスクの排出量を決定してもよい。回転数（回転角度）を検出する装置を備える
ことで、より正確に送りローラ３２の回転数（回転角度）を制御することができる。
【００８１】
光ディスクが光ディスク記録／再生ユニットＡに挿入され、光ヘッド５にて挿入された
光ディスクのディスク情報を読み込んだ時点で、光ディスク記録／再生ユニットＡが光デ
ィスクの大きさ（直径８ｃｍ又は１２ｃｍ）を認識する。光ディスクの挿入が不完全で、
光ディスクのディスク情報を入手できなかった場合、電源投入とともに予め挿入されてい
た光ディスクを排出する場合、など光ディスクの大きさを認識できない場合であっても、
本発明の光ディスク装置では、ディスクアーム４２がスイッチ４５を押したときから光デ
ィスクを一定距離だけ排出することで対応しているので、光ディスクを落としたり、光デ
ィスクの記録面だけ排出されず（センターホールが見えない）使用者が記録面を汚さずに
ディスクを取れない等の不具合が発生しにくい。
【００８２】
本実施例では光ディスク装置に用いられる光ディスク記録／再生ユニットは光ディスク
を横向きに挿入するものを例に説明しているが、それに限定されるものではなく光ディス
クを立てて横向きに挿入するもの、光ディスクを立てて縦向きに挿入する光ディスク装置
にも同様に用いることができる。
【産業上の利用可能性】
【００８３】
本発明は、ＤＶＤ、ＣＤ等の光ディスクを記録媒体とする光ディスク装置において適用
することができる。
【図面の簡単な説明】
【００８４】
【図１】スロットインタイプの光ディスク装置の斜視図である。
【図２】本発明にかかるスロットインタイプの光ディスク装置に備えられる光ディスク記録再生ユニットの概略配置図である。
【図３】図２に示す光ディスク記録再生ユニットの正面側から見た概略配置図である。
【図４】８センチメートルの光ディスクを挿入するときの光ディスク記録再生ユニットの概略配置図である。
【図５】１２センチメートルの光ディスクを挿入するときの光ディスク記録再生ユニットの概略配置図である。
【図６】光ディスクを排出するときのタイミングチャートである。
【符号の説明】
【００８５】
１  メインシャーシ
２  トラバースユニット
２１  トラバースシャーシ
２２  レバートリガー
３  光ディスク搬送機構
３１  カムスライダ
３２  送りローラ
３３  中間歯車
４  光ディスク検出機構
４１  光センサ
４２  ディスクアーム
４３  プッシュロッド
４４  ディスクレバー
４５  スイッチ
５  光ヘッド
５１  スライドベース
６  駆動力伝達機構
７  光ディスク駆動機構
【図１】
2007018666.tif 000003
【図２】
2007018666.tif 000004
【図３】
2007018666.tif 000005
【図４】
2007018666.tif 000006
【図５】
2007018666.tif 000007
【図６】
2007018666.tif 000008